(57)【要約】【課題】外力により生分解を加速できる不織布を提供すること。【解決手段】本発明の外力により生分解を加速できる不織布は薄片状の不織布を含み、前記不織布の表面に複数の引裂き点が間隔をあけて分布され、前記引裂き点の長さが１ミリメートル（ｍｍ）から１５ミリメートル（ｍｍ）の間であり、かつ各引裂き点の仮想延伸線がいずれも少なくとも１つの相隣する引裂き点と交わりまたは繋がりを形成し、また前記引裂き点の間の距離が引裂き点の長さの１倍から１０倍の間であり、外力を不織布に加えたとき、前記引裂き点が少なくとも１つの相隣する引裂き点の方向に引き裂け、不織布の使用後の生分解速度が加速される。【選択図】図１
2015004153.tif 000002
【特許請求の範囲】
【請求項１】
薄片状の不織布を含み、前記不織布の表面に複数の引裂き点が間隔をあけて分布され、前記引裂き点の長さが１ミリメートル（ｍｍ）から１５ミリメートル（ｍｍ）の間であり、かつ各引裂き点の仮想延伸線がいずれも少なくとも１つの相隣する引裂き点と交わりまたは繋がりを形成し、また前記引裂き点の間の距離が引裂き点の長さの１倍から１０倍の間であり、外力を不織布に加えたとき、前記引裂き点が少なくとも１つの相隣する引裂き点の方向に引き裂け、不織布の使用後の生分解速度が加速されることを特徴とする、外力により生分解を加速できる不織布。
【請求項２】
前記不織布の一端において表面に隔離層が重ねられ、前記引裂き点が前記不織布のみを貫通し、前記隔離層を貫通しないことを特徴とする、請求項１に記載の外力により生分解を加速できる不織布。
【請求項３】
前記隔離層が溶解しやすいパルプまたは紙繊維であることを特徴とする、請求項２に記載の外力により生分解を加速できる不織布。
【請求項４】
前記不織布の最小ユニットが３つの引裂き点で構成される三角形であり、引裂き点の間を相互に接続すると１つの小破片が形成されることを特徴とする、請求項２に記載の外力により生分解を加速できる不織布。
【請求項５】
前記三角形が、三角形の対辺に平行な１つの引裂き点と、三角形の辺縁に沿った２つの引裂き点を備えることを特徴とする、請求項２に記載の外力により生分解を加速できる不織布。
【請求項６】
前記引裂き点が前記不織布を貫通することを特徴とする、請求項１に記載の外力により生分解を加速できる不織布。
【請求項７】
前記不織布の表面に引裂き点に連接する複数本の引裂き線が形成され、かつ前記引裂き線が前記不織布を貫通しないことを特徴とする、請求項１に記載の外力により生分解を加速できる不織布。
【請求項８】
前記引裂き線が相互に交差して不織布の表面において複数の菱形ブロックを構成し、かつ前記引裂き点がいずれも引裂き線の交差点箇所に設置され、直線上に配列された引裂き点が複数本の縦列を構成することを特徴とする、請求項７に記載の外力により生分解を加速できる不織布。
【請求項９】
前記引裂き点が菱形ブロックを均分する方向に沿っている縦方向の縦列と、前記引裂き点が引裂き線の方向に沿っている斜め方向の縦列として設けられ、最小の縦列ユニットが連続２本の縦方向の縦列と、縦方向の縦列と斜め方向の縦列が相互に間を隔てた１本の集合であることを特徴とする、請求項８に記載の外力により生分解を加速できる不織布。
【請求項１０】
前記引裂き点の仮想延伸線が、０から３６０度の角度で交わるまたは繋がることを特徴とする、請求項１に記載の外力により生分解を加速できる不織布。
【発明の詳細な説明】
【技術分野】
【０００１】
本発明は不織布の構造に関し、特に、外力により生分解を加速できる不織布に関する。
【背景技術】
【０００２】
従来の不織布はニードルパンチ機またはカーディング機で各種繊維原料を処理し、高圧を用いて形成または貼り合わせて生産される一種の布状物であり、広義には糸を織って成るもの以外のあらゆる布状物を含む。不織布の繊維の長さは約３ミリメートル（ｍｍ）から３センチメートル（ｃｍ）の間であり、かつ繊維が適切な厚さに結合されているため、使用上十分な引裂耐性を備えており、使用時に引裂かれて破損する状況を心配する必要がないが、上述の従来構造を詳細に検討すると、まだ十分でない点があることに容易に気付くことができる。
主な原因としては、不織布は繊維の結合力が高いため、外力による引っ張りや捻りにより速やかに引裂いて破壊することができず、細菌による生分解が容易でないことから、便器の管路が不織布で詰まることがないように、不織布はいずれも便器内に捨てることができず、不織布の使用後便器内に捨てて生分解を行うことができないため、どうしてもごみの発生量が大幅に増加してしまう。これは環境保護に反するだけでなく、別途より多くの清掃費用を支払う必要が生じる。
従来の便器内に直接捨てて生分解を行うことができる不織布は、繊維の長さが３ミリメートル（ｍｍ）未満または厚さが明らかに薄く、水流によって容易に引裂かれ、破壊されるような構造となっているが、構造強度が不足するという明らかな欠点が生じ、正常に拭き取りを行うことが確約できず、使用者は逆に生分解が容易でない不織布を選択することになる。
このため、十分な使用強度を保ちながら、生分解しにくいという欠点を排除することが、本発明が改善を図る技術的問題点である。
【０００３】
これに鑑み、本発明の発明者は関連製品の製造、開発、設計に従事した長年の経験に基づき、上述の目標に対して詳細な設計と慎重な評価を行った上で、確実に実用性を備えた本発明を得たものである。
【発明の概要】
【発明が解決しようとする課題】
【０００４】
本発明は現有技術に存在する上述の欠点に対し、外力により生分解を加速できる不織布を提供することで技術的問題の解決を図る。
【０００５】
本発明の第１の目的は、引裂き点により不織布の繊維を効果的に切断し、不織布の繊維の結合力を低下させ、一般的な使用時には、引裂き点の間の距離を通して十分な構造強度を保つように制御でき、使用後には外力を利用して不織布に対し引っ張る力と捻る力をかけると、前記引裂き点が少なくとも１つの相隣する引裂き点の方向に引き裂けを生じ、不織布の使用後の生分解速度を加速できる、外力により生分解を加速できる不織布を提供することにある。
【０００６】
本発明の第２の目的は、前記不織布の一端において表面に隔離層が重ねられ、隔離層により前記引裂き点を遮断し、引裂き点が不織布のみを貫通して隔離層まで貫通しないようにすることで、拭き取りを行うとき、汚物や液体が引裂き点の箇所から他方の一面に浸透しにくくし、手が汚れない使用効果を形成した、外力により生分解を加速できる不織布を提供することにある。
【０００７】
本発明の第３の目的は、前記不織布の表面に引裂き点に連接する複数本の引裂き線が形成され、かつ前記引裂き線は前記不織布を貫通せず、引裂き線により引裂き点の引裂き速度を向上し、不織布の厚さが比較的厚い、または繊維密度が比較的高いとき、効果的に引裂き効果を高めることができる、外力により生分解を加速できる不織布を提供することにある。
【課題を解決するための手段】
【０００８】
本願の第１発明は、薄片状の不織布を含み、前記不織布の表面に複数の引裂き点が間隔をあけて分布され、前記引裂き点は不織布を貫通することができ、前記引裂き点の長さが１ミリメートル（ｍｍ）から１５ミリメートル（ｍｍ）の間であり、かつ各引裂き点の仮想延伸線がいずれも少なくとも１つの相隣する引裂き点と交わりまたは繋がりを形成し、また前記引裂き点の間の距離が引裂き点の長さの１倍から１０倍の間であり、外力を不織布に加えたとき、前記引裂き点が少なくとも１つの相隣する引裂き点の方向に引き裂け、不織布の使用後の生分解速度が加速されることを特徴とする、外力により生分解を加速できる不織布を提供する。
【０００９】
本願の第２発明は、前記不織布の一端において表面に隔離層が重ねられ、前記引裂き点が前記不織布のみを貫通し、前記隔離層を貫通しないことを特徴とする、前記第１発明の外力により生分解を加速できる不織布を提供する。
【００１０】
本願の第３発明は、前記隔離層が溶解しやすいパルプまたは紙繊維であることを特徴とする、前記第２発明の外力により生分解を加速できる不織布を提供する。
【００１１】
本願の第４発明は、前記不織布の最小ユニットが３つの引裂き点で構成される三角形であり、引裂き点の間を相互に接続すると１つの小破片が形成されることを特徴とする、前記第２発明の外力により生分解を加速できる不織布を提供する。
【００１２】
本願の第５発明は、前記三角形が、三角形の対辺に平行な１つの引裂き点と、三角形の辺縁に沿った２つの引裂き点を備えることを特徴とする、前記第２発明の外力により生分解を加速できる不織布を提供する。
【００１３】
本願の第６発明は、前記引裂き点が前記不織布を貫通することを特徴とする、前記第１発明の外力により生分解を加速できる不織布を提供する。
【００１４】
本願の第７発明は、前記不織布の表面に引裂き点に連接する複数本の引裂き線が形成され、かつ前記引裂き線が前記不織布を貫通しないことを特徴とする、前記第１発明の外力により生分解を加速できる不織布を提供する。
【００１５】
本願の第８発明は、前記引裂き線が相互に交差して不織布の表面において複数の菱形ブロックを構成し、かつ前記引裂き点がいずれも引裂き線の交差点箇所に設置され、直線上に配列された引裂き点が複数本の縦列を構成することを特徴とする、前記第７発明の外力により生分解を加速できる不織布を提供する。
【００１６】
本願の第９発明は、前記引裂き点が菱形ブロックを均分する方向に沿っている縦方向の縦列と、前記引裂き点が引裂き線の方向に沿っている斜め方向の縦列として設けられ、最小の縦列ユニットが連続２本の縦方向の縦列と、縦方向の縦列と斜め方向の縦列が相互に間を隔てた１本の集合であることを特徴とする、前記第８発明の外力により生分解を加速できる不織布を提供する。
【００１７】
本願の第１０発明は、前記引裂き点の仮想延伸線が、０から３６０度の角度で交わるかまたは繋がることを特徴とする、前記第１発明の外力により生分解を加速できる不織布を提供する。
【図面の簡単な説明】
【００１８】
【図１】本発明の正面図である。
【図２】本発明の図１の最小ユニットを示す部分拡大図である。
【図３】本発明の実施例２の部分断面図である。
【図４】本発明の実施例３の正面図である。
【図５】本発明の図４の最小の縦列ユニットを示す部分拡大図である。
【図６】本発明の実施例３の部分断面図である。
【発明を実施するための形態】
【００１９】
以下、本発明の実施例について、図面を参照しながら詳細に説明する。
【実施例１】
【００２０】
まず図１に示すように、外力により生分解を加速できる不織布は、薄片状の不織布１０を含み、前記不織布１０の表面に複数の引裂き点１１が間隔をあけて分布され、引裂き点１１は不織布１０を貫通することができ、また前記引裂き点１１の長さは１ミリメートル（ｍｍ）から１５ミリメートル（ｍｍ）の間であり、かつ各引裂き点１１の仮想延伸線がいずれも少なくとも１つの相隣する引裂き点１１と交わりまたは繋がりを形成し、また前記引裂き点１１の間の距離は引裂き点１１の長さの１倍から１０倍の間である。
さらに図２に示すように、前記不織布１０の最小ユニットは３つの引裂き点１１から構成される三角形であり、引裂き点１１の間を相互に接続すると１つの小破片１１１が形成される。また前記三角形が三角形の対辺と平行な１つの引裂き点１１と、三角形の辺縁に沿った２つの引裂き点１１を備えており、上述の構造により、外力が不織布１０に加わると、前記引裂き点１１が少なくとも１つの相隣する引裂き点１１の方向に引き裂けを生じ、不織布１０の使用後の生分解速度が向上される。
【００２１】
実際の使用状況は、図１、図２に示すように、前記不織布１０の表面に複数の引裂き点１１が間隔をあけて設けられ、かつ前記引裂き点１１の長さが１ミリメートル（ｍｍ）から１５ミリメートル（ｍｍ）の間で、前記引裂き点１１の間の距離が引裂き点１１の長さの１倍から１０倍である。
例えば、引裂き点１１が１ミリメートル（ｍｍ）のとき、前記引裂き点１１の間の距離は１ミリメートル（ｍｍ）から１センチメートル（ｃｍ）の間であり、また引裂き点１１の長さが５ミリメートル（ｍｍ）のとき、前記引裂き点１１の間の距離は最長で５センチメートル（ｃｍ）である。
上述の構造により、前記引裂き点１１が不織布１０の繊維を効果的に切断し、不織布１０の繊維の結合力を低下させることができ、一般的な使用時には、引裂き点１１の間の距離を通して十分な構造強度を保つように制御でき、正常な使用の状況において、前記不織布１０は引裂き点１１の箇所から引き裂けることがなく、使用効果に影響することがない。
使用後には外力を利用して不織布１０に引っ張る力と捻る力をかけることで、不織布１０の引裂き点１１に少なくとも１つの相隣する引裂き点１１の方向に引き裂けを生じさせ、前記不織布１０の破壊を加速し、不織布１０を使用後に速やかに生分解させることができる。
さらに、前記不織布１０は使用後便器内に直接捨てて流すことができ、便器の水流の外力により不織布１０が引裂き点１１の箇所から速やかに引き裂け、構造破壊と断裂の増加により、細菌の不織布１０に対する生分解を加速させ、不織布１０が便器の管路に詰まることがないようにすることで、不織布１０を便器内に捨てることができないという欠点を改善することができる。
【実施例２】
【００２２】
本発明の別の実施例は、図１と図３に示すように、前記不織布１０の表面に複数の引裂き点１１が間隔をあけて分布され、前記引裂き点１１の長さは１ミリメートル（ｍｍ）から１５ミリメートル（ｍｍ）の間であり、かつ前記引裂き点１１の間の距離は引裂き点１１の長さの１倍から１０倍の間である。
さらに前記不織布１０の一端において表面に隔離層２０が重ねられ、前記隔離層２０は溶解しやすいパルプまたは紙繊維（例えばティッシュペーパーなど）であり、前記隔離層２０により前記引裂き点１１を遮断し、引裂き点１１が不織布１０のみを貫通して隔離層２０まで貫通しないようにすることで、拭き取りを行うとき、汚物や液体が引裂き点１１の箇所から他方の一面に浸透しにくくし、手が汚れない使用効果を形成することができる。
【実施例３】
【００２３】
本発明のさらに別の実施例は、図４、図５、図６に示すように、前記不織布１０の表面に引裂き点１１に連接する複数本の引裂き線１２が形成され、かつ前記引裂き線１２は前記不織布１０を貫通せず、また前記引裂き線１２は相互に交差して不織布１０の表面において複数の菱形ブロック１３を構成し、かつ前記引裂き点１１はいずれも引裂き線１２の交差箇所に設置され、直線上に配列された引裂き点１１が複数本の縦列を構成する。
また前記引裂き点１１が菱形ブロック１３を均分する方向に沿っている縦方向の縦列と、前記引裂き点１１が引裂き線１２の方向に沿っている斜め方向の縦列として設けられ、最小の縦列ユニットが連続２本の縦方向の縦列と、縦方向の縦列と斜め方向の縦列が相互に間を隔てた１本の集合である。引裂き線１２により引裂き点１１の引裂き速度を向上し、不織布１０の厚さが比較的厚い、または繊維密度が比較的高いとき、引き裂け効果を効果的に高めることができる。
【符号の説明】
【００２４】
１０    不織布
１１    引裂き点
１１１  小破片
１２    引裂き線
１３    菱形ブロック
２０    隔離層
【図１】
2015004153.tif 000003
【図２】
2015004153.tif 000004
【図３】
2015004153.tif 000005
【図４】
2015004153.tif 000006
【図５】
2015004153.tif 000007
【図６】
2015004153.tif 000008